(57)【要約】【課題】  作用側構造体及び非作用側構造体の外部に電源を備えることを要さない、又は外部の電源を小型化できるイオントフォレーシス装置を提供する。【解決手段】  第１電極と、前記第１電極に接触する薬物イオンを含む薬液を保持する薬液保持部とを有する作用側構造体と、第２電極と、前記第２電極に接触する電解液を保持する電解液保持部とを有する非作用側構造体とを備えるイオントフォレーシス装置において、前記薬物イオンが陽イオンである場合には、前記第１電極と前記薬液により形成される単極電位が前記第２電極と前記電解液により形成される単極電位よりも低電位となり、前記薬物イオンが陰イオンである場合には、前記第１電極と前記薬液により形成される単極電位が前記第２電極と前記電解液により形成される単極電位よりも高電位となるように構成する。【選択図】  図１
2007268061.tif 000002
【特許請求の範囲】
【請求項１】
第１電極と、
前記第１電極に接触する薬物イオンを含む薬液を保持する薬液保持部とを有する作用側構造体と、
第２電極と、
前記第２電極に接触する電解液を保持する電解液保持部とを有する非作用側構造体とを備えるイオントフォレーシス装置であって、
前記薬物イオンが陽イオンである場合には、前記第１電極と前記薬液により形成される単極電位が、前記第２電極と前記電解液により形成される単極電位よりも低電位とされ、
前記薬物イオンが陰イオンである場合には、前記第１電極と前記薬液により形成される単極電位が、前記第２電極と前記電解液により形成される単極電位よりも高電位とされていることを特徴とするイオントフォレーシス装置。
【請求項２】
上面及び下面を有する第１支持体であって、
前記第１支持体の下面において開口する第１空孔と、
前記第１空孔から離間して配置され、前記第１支持体の下面において開口する第２空孔とが形成された第１支持体を更に有し、
前記薬液及び前記電解液が、それぞれ前記第１空孔及び前記第２空孔に保持されていることを特徴とする請求項１に記載のイオントフォレーシス装置。
【請求項３】
第１電極と、
前記第１電極に接触する第１電解液を保持する第１電解液保持部と、
前記第１電解液保持部の下面側に配置され、第２極性のイオンの通過を選択的に許容する第１イオン選択膜と、
前記第１イオン選択膜の下面側に配置され、第１極性の薬物イオンを含む薬液を保持する薬液保持部とを有する作用側構造体と、
第２電極と、
前記第２電極に接触する第２電解液を保持する第２電解液保持部とを有する非作用側構造体とを備えるイオントフォレーシス装置であって、
前記第１極性がプラスである場合には、前記第１電極と前記第１電解液により形成される単極電位が、前記第２電極と前記第２電解液により形成される単極電位よりも低電位とされ、
前記第１極性がマイナスである場合には、前記第１電極と前記第１電解液により形成される単極電位が、前記第２電極と前記第２電解液により形成される単極電位よりも高電位とされていることを特徴とするイオントフォレーシス装置。
【請求項４】
前記非作用側構造体が、
前記第２電解液保持部の下面側に配置され、第１極性のイオンの通過を選択的に許容する第２イオン選択膜を更に有することを特徴とする請求項３に記載のイオントフォレーシス装置。
【請求項５】
前記作用側構造体が、前記薬液保持部の下面側に、薬物イオンの通過を選択的に許容する第３イオン選択膜を更に有することを特徴とする請求項３又は４に記載のイオントフォレーシス装置。
【請求項６】
前記非作用側構造体が、
前記第２イオン選択膜の下面側に配置され、第３電解液を保持する第３電解液保持部と、
前記第３電解液保持部の下面側に配置され、第２極性のイオンの通過を選択的に許容する第４イオン選択膜を更に有することを特徴とする請求項３〜５のいずれか一項に記載のイオントフォレーシス装置。
【請求項７】
上面及び下面を有する第１支持体であって、
前記第１支持体の下面において開口する第１空孔と、
前記第１空孔から離間して配置され、前記第１支持体の下面において開口する第２空孔とが形成された第１支持体と、
上面及び下面を有する第２支持体であって、
前記第２支持体の上下面において開口する第３空孔と、
前記第３空孔から離間して配置され、前記第２支持体の上下面において開口する第４空孔とが形成された第２支持体とを更に備え、
前記第１電解液、前記第２電解液、前記薬液及び前記第３電解液が、それぞれ、前記第１、第２、第３及び第４空孔に保持されており、
前記第１空孔及び前記第２空孔が、それぞれ前記第３空孔及び前記第４空孔と連通するように、前記第２支持体が前記第１支持体の下面側に配置されていることを特徴とする請求項３〜６のいずれか一項に記載のイオントフォレーシス装置。
【発明の詳細な説明】
【技術分野】
【０００１】
本発明は、イオン解離した薬物イオンを、当該薬物イオンと同一極性の電圧により駆動して生体に投与するためのイオントフォレーシス装置に関する。
【背景技術】
【０００２】
図５は、一般的なイオントフォレーシス装置１０１の構成を示す説明図である。
【０００３】
図示されるように、イオントフォレーシス装置１０１は、電極１１１及び薬物イオンを含む薬液を保持する薬液保持部１１２を有する作用側構造体１１０と、電極１２１及び電解液を保持する電解液保持部１２２を有する非作用側構造体１２０を備えており、これら作用側構造体１１０及び非作用側構造体１２０を生体皮膚Ｓに当接させた状態で、電源１４０から薬物イオンと同一極性の電圧を電極１１１に、その反対極性の電圧を電極１２１に印加することにより薬液保持部１１２の薬物イオンが生体に投与される。
【０００４】
図示されるイオントフォレーシス装置１０１では、作用側構造体１１０、非作用側構造体１２０及び電源１４０がそれぞれ別体として構成されているが、これらの要素を単一のケーシング中に組み込み、或いはこれらを組み込んだ装置全体をシート状又はパッチ状に形成すれば、装置の保管、運搬時、或いは薬物イオンの投与に際してのハンドリング性を向上させることができる。
【０００５】
しかしながら、作用側構造体１１０や非作用側構造体１２０は、内部に薬液保持部１１２や電解液保持部１２２などの水分含有量の高い部材を有しており、乾燥状態で保管することはむしろ好ましくない場合があり、或いは装置の全体をケーシング等に密封した場合には、これらの部材からの水分でケーシング中の湿度が上昇する場合がある。
【０００６】
これに対して、電源１４０を構成する電池や昇圧回路などは、乾燥条件下で保管することが望ましく、長時間高湿度下に放置するとその信頼性が低下してしまう。
【０００７】
従って、両者を単一のケーシング等に組み込んだ場合には、電源１４０の部分を作用側構造体１１０及び非作用側構造体１２０から隔離するための何らかの処置が必要となるが、両者を接続する給電線１４１、１４２に沿って電源１４０側に進入する湿気を完全に遮断することは困難である。
【特許文献１】米国特許第４７４４７８７号公報
【発明の開示】
【発明が解決しようとする課題】
【０００８】
本発明は、上記問題に鑑みてなされたものであり、以下の一以上の目的を達成するものである。
【０００９】
即ち本発明の目的は、装置を構成する各要素を単一のケーシング、或いは単一のシート状の部材に組み込むことが容易なイオントフォレーシス装置を提供することにある。
【００１０】
本発明の他の目的は、作用側構造体及び非作用側構造体に電源の機能を組み込むことにより、作用側構造体及び非作用側構造体の外部に電源を備えることを要さないイオントフォレーシス装置を提供することにある。
【００１１】
本発明の他の目的は、作用側構造体及び非作用側構造体に電源の機能を組み込むことにより、作用側構造体及び非作用側構造体の外部に備える電源を小型化することができるイオントフォレーシス装置を提供することにある。
【００１２】
本発明の他の目的は、作用側構造体及び非作用側構造体の外部に電源を備えないイオントフォレーシス装置を提供することにある。
【００１３】
本発明の他の目的は、作用側構造体及び非作用側構造体の外部に電源を備えずにイオントフォレーシス装置を構成することにより、イオントフォレーシス装置の製造コストを低減し、或いはイオントフォレーシス装置の保管、運搬、或いは生体への適用時におけるハンドリング性を向上させることにある。
【課題を解決するための手段】
【００１４】
本発明は、第１電極と、
前記第１電極に接触する薬物イオンを含む薬液を保持する薬液保持部とを有する作用側構造体と、
第２電極と、
前記第２電極に接触する電解液を保持する電解液保持部とを有する非作用側構造体とを備えるイオントフォレーシス装置であって、
前記薬物イオンが陽イオンである場合には、前記第１電極と前記薬液により形成される単極電位が、前記第２電極と前記電解液により形成される単極電位よりも低電位とされ、
前記薬物イオンが陰イオンである場合には、前記第１電極と前記薬液により形成される単極電位が、前記第２電極と前記電解液により形成される単極電位よりも高電位とされていることを特徴とするイオントフォレーシス装置（請求項１）により上記課題を達成するものである。
【００１５】
本発明では、薬物イオンが陽イオンである場合には、第１電極と薬液により形成される単極電位（以下、「第１電極の単極電位」という場合がある）が第２電極と電解液により形成される単極電位（以下、「第２電極の単極電位」という場合がある）よりも低電位とされるが故に、本発明の作用側構造体及び非作用側構造体により、第１電極を負極とし、第２電極を正極とする電池が構成される。
【００１６】
同様に、薬物イオンが陰イオンである場合には、第１電極の単極電位が第２電極の単極電位よりも高電位とされるが故に、本発明の作用側構造体及び非作用側構造体により、第１電極を正極とし、第２電極を負極とする電池が構成される。
【００１７】
このため、第１電極と第２電極を電気的に接続するとともに、作用側構造体及び非作用側構造体を生体に当接させて、薬液保持部と電解液保持部の間をイオン導通状態にすることで、両単極電位の差に応じた起電力を取り出すことが可能であり、この起電力をもって薬液保持部の薬物イオンを生体に移行させることができる。
【００１８】
従って、本発明によれば、作用側構造体及び非作用側構造体の外部に別途電源を備えないイオントフォレーシス装置を実現することが可能であり、装置の小型化、軽量化、或いはコストダウンが可能となり、又はイオントフォレーシス装置の全体を単一のケーシングやシート状の部材に組み込むことが容易になる。
【００１９】
そして、イオントフォレーシス装置の全体を単一のケーシングやシート状の部材に組み込んだ場合には、イオントフォレーシス装置の保管、運搬、或いは生体への適用時におけるハンドリング性を向上させることができる。
【００２０】
また、生体に投与すべき薬物イオンの種類などによっては、作用側構造体及び非作用側構造体により構成される電池の起電力のみで薬物イオンの投与に必要な動作電圧を賄うことができないことも考えられ、その場合には、作用側構造体及び非作用側構造体の外部に電源を直列に接続するなどが必要となるが、この場合の電源の出力値は、作用側構造体及び非作用側構造体により構成される電池の起電力の分だけ小さくて済むために、より小型又はより低出力の外部電源が使用できることになる。
【００２１】
従って、この場合も、イオントフォレーシス装置の小型化、軽量化、或いはコストダウンが可能となり、またイオントフォレーシス装置の全体を単一のケーシングやシート状の部材に組み込むことが容易になる。
【００２２】
なお、第１電極の単極電位と第２電極の単極電位の相対的な高低や両単極電位間の電位差は、第１、第２電極、薬液及び／又は電解液の種類を適切に組み合わせることにより制御することが可能であるが、それぞれをどのように組合せた場合にどのような電位差が生じるかは電気化学関係の文献などにおいて公知であり、ここではその詳細は説明しない。
【００２３】
本発明のイオントフォレーシス装置は、上面及び下面を有する第１支持体であって、前記第１支持体の下面において開口する第１空孔と、前記第１空孔から離間して配置され、前記第１支持体の下面において開口する第２空孔とが形成された第１支持体を更に有し、前記薬液及び前記電解液が、それぞれ前記第１空孔及び前記第２空孔に保持されるよう構成すること（請求項２）が可能であり、これにより、作用側構造体及び非作用側構造体の外部に電源を備えないイオントフォレーシス装置であって、薬物イオン投与時などにおけるハンドリング性に優れるイオントフォレーシス装置を実現することができる。
【００２４】
本発明では、第１電極と、
前記第１電極に接触する第１電解液を保持する第１電解液保持部と、
前記第１電解液保持部の下面側に配置され、第２極性のイオンの通過を選択的に許容する第１イオン選択膜と、
前記第１イオン選択膜の下面側に配置され、第１極性の薬物イオンを含む薬液を保持する薬液保持部とを有する作用側構造体と、
第２電極と、
前記第２電極に接触する第２電解液を保持する第２電解液保持部とを有する非作用側構造体とを備えるイオントフォレーシス装置であって、
前記第１極性がプラスである場合には、前記第１電極と前記第１電解液により形成される単極電位が、前記第２電極と前記第２電解液により形成される単極電位よりも低電位とされ、
前記第１極性がマイナスである場合には、前記第１電極と前記第１電解液により形成される単極電位が、前記第２電極と前記第２電解液により形成される単極電位よりも高電位とされていることを特徴とするイオントフォレーシス装置（請求項３）によっても、上記課題を達成することができる。
【００２５】
即ち、請求項３の発明においても、請求項１の発明と同様のメカニズムにより、第１電極と第１電解液により形成される単極電位と、第２電極と第２電解液により形成される単極電位との電位差に応じた起電力を取り出すことができ、この起電力をもって薬物イオンの投与を行うことが可能となる。
【００２６】
請求項３の発明における第１イオン選択膜は、通電の際に薬液保持部から第１電解液保持部への第２極性のイオンの通過を選択的に許容する特性を有する膜状の部材であり、好ましくは、第１電解液保持部から薬液保持部への第１極性のイオンの通過を遮断する特性を併せ有することができる。
【００２７】
請求項３の発明では、請求項１の発明と同様の上記効果が達成されることに加え、下記の追加的な効果を達成することができる。
【００２８】
即ち、第１電解液保持部から薬液保持部への通電を、薬液保持部から第１電解液保持部への第２極性のイオンの移行により確保した上で、第１電解液と薬液を第１イオン選択膜によって分離することができる。従って、第１電極や第１電解液の組成選択の幅を広げることが可能となり、また、第１電解液中の成分が薬液保持部、ひいては生体界面へ移行することを防止できるために、薬物イオン投与の安全性を高めることができる。
【００２９】
請求項３の発明では、前記非作用側構造体が、前記第２電解液保持部の下面側に配置され、第１極性のイオンの通過を選択的に許容する第２イオン選択膜を更に有すること（請求項４）が好ましい。
【００３０】
請求項４の発明における第２イオン選択膜は、通電の際に第３電解液保持部から第２電解液保持部への第１極性のイオンの通過を選択的に許容する特性を有する膜状の部材であり、好ましくは、第２電解液保持部から第３電解液保持部への第２極性のイオンの通過を遮断する特性を併せ有することができる。
【００３１】
請求項４の発明では、第２電解液保持部から第３電解液保持部への通電を、第３電解液保持部から第２電解液保持部への第１極性のイオンの移行により確保した上で、第２電解液と第３電解液を第２イオン選択膜によって分離することができる。従って、第２電極や第２電解液の組成選択の幅を広げることが可能となり、また、第２電解液中の成分が第３電解液保持部、ひいては生体界面に移行することを防止できるために、薬物イオン投与の安全性を高めることができる。
【００３２】
請求項３又は４の発明では、前記作用側構造体が、前記薬液保持部の下面側に、薬物イオンの通過を選択的に許容する第３イオン選択膜を更に有すること（請求項５）が好ましい。
【００３３】
請求項５の発明における第３イオン選択膜は、通電の際に薬液保持部から生体側への薬物イオンの通過を選択的に許容する特性を有する膜状の部材であり、好ましくは、生体側から薬液保持部への生体対イオンの通過を遮断する特性を併せ有することができる。
【００３４】
請求項５の発明では、生体対イオンが薬液保持部に移行することにより消費される電流量が減少するために、薬物イオンの投与効率又は投与速度を上昇させることができる。
【００３５】
請求項３〜５の発明では、前記非作用側構造体が、前記第２イオン選択膜の下面側に配置され、第３電解液を保持する第３電解液保持部と、前記第３電解液保持部の下面側に配置され、第２極性のイオンの通過を選択的に許容する第４イオン選択膜を更に有すること（請求項６）が好ましい。
【００３６】
請求項６の発明における第４イオン選択膜は、通電の際に第３電解液保持部から生体側への第２極性のイオンの通過を選択的に許容する特性を有する膜状の部材であり、好ましくは、生体側から第３電解液保持部への第１極性のイオンの通過を遮断する特性を併せ有することができる。
【００３７】
本発明によれば、生体界面におけるイオンバランスが良好に保たれることになるために、通電中における皮膚面の炎症やかぶれを防止し、より安全な薬物イオンの投与を実現することが可能となる。
【００３８】
上記第１〜第４イオン選択膜は、イオンの分子量やサイズ、或いは立体的形状に基づいて上記イオンの通過の許容及び遮断を行う半透膜（限外濾過膜など）の形態を採ることが可能であり、電荷に基づいて上記イオンの通過の許容及び遮断を行う電荷選択膜の形態を採ることも可能である。
【００３９】
電荷選択膜の形態のイオン選択膜を採用する場合、第１、第４イオン選択膜としては、第１極性のイオン交換膜を特に好ましく使用することができ、第２、第３イオン選択膜としては、第２極性のイオン交換膜を特に好ましく使用することができる。
【００４０】
請求項３〜６の発明では、上面及び下面を有する第１支持体であって、前記第１支持体の下面において開口する第１空孔と、前記第１空孔から離間して配置され、前記第１支持体の下面において開口する第２空孔とが形成された第１支持体と、上面及び下面を有する第２支持体であって、前記第２支持体の上下面において開口する第３空孔と、前記第３空孔から離間して配置され、前記第２支持体の上下面において開口する第４空孔とが形成された第２支持体とを更に備え、前記第１電解液、前記第２電解液、前記薬液及び前記第３電解液が、それぞれ、前記第１、第２、第３及び第４空孔に保持されており、前記第１空孔及び前記第２空孔が、それぞれ前記第３空孔及び前記第４空孔と連通するように、前記第２支持体が前記第１支持体の下面側に配置されていること（請求項７）が可能であり、これにより、作用側構造体及び非作用側構造体の外部に電源を備えないイオントフォレーシス装置であって、薬物イオン投与時などにおけるハンドリング性に優れるイオントフォレーシス装置を実現することができる。
【００４１】
本明細書における「薬物」は、調製されているか否かに関わらず、一定の薬効又は薬理作用を有し、病気の治療、回復又は予防、健康の増進又は維持、病状や健康状態などの診断、或いは美容の増進又は維持などの目的で生体に投与される物質を意味する。
【００４２】
本明細書における「薬物イオン」は、薬物がイオン解離することにより生じるイオンであって、薬効又は薬理作用を担うイオンを意味する。
【００４３】
本明細書における「薬液」は、薬物イオンを含む流動物を意味し、本明細書における「薬液」には、薬物を水などの溶媒に溶解させた溶液や薬物が液状である場合における原液などの液体状態のものだけでなく、薬物の少なくとも一部が薬物イオンに解離する限り、薬物を溶媒に懸濁又は乳濁させたもの、軟膏状又はペースト状に調整されたものなど各種の状態のものを含む。
【００４４】
本明細書における「薬物対イオン」は、薬液中に存在するイオンであって、薬物イオンとは反対極性のイオンを意味する。
【００４５】
本明細書における「皮膚」は、イオントフォレーシスによる薬物イオンの投与を行い得る生体表面を意味しており、例えば口腔内の粘膜なども含まれる。「生体」は人及び動物を含む。
【００４６】
本明細書における「生体対イオン」は、生体の皮膚上又は生体内に存在するイオンであって、薬物イオンと反対極性のイオンを意味する。
【００４７】
本明細書における「下面側」及び「上面側」は、それぞれ薬物イオンの投与に際して装置内を流れる電流の経路上における生体皮膚に近い側及び遠い側を意味する。また、ある部材についての「下面」及び「上面」は、その部材の下面側及び上面側の表面を意味する。
【００４８】
イオン交換膜としては、イオン交換樹脂を膜状に形成したものの他、イオン交換樹脂をバインダーポリマー中に分散させ、これを加熱成型などにより製膜することで得られる不均質イオン交換膜や、イオン交換基を導入可能な単量体、架橋性単量体、重合開始剤などからなる組成物、又はイオン交換基を導入可能な官能基を有する樹脂を溶媒に溶解させたものを、布や網、或いは多孔質フィルムなどの基材に含浸充填させ、重合又は溶媒除去を行った後にイオン交換基の導入処理を行うことにより得られる均質イオン交換膜など各種のイオン交換膜が知られているが、本発明のイオン交換膜には、これらのイオン交換膜を特段の制限無く使用することができる。
【００４９】
本明細書におけるカチオン交換膜は、陽イオンの通過を許容する一方で陰イオンの通過を遮断する機能を有するイオン交換膜（即ち、陽イオンが陰イオンよりも通過し易いイオン交換膜）であり、具体的には、（株）トクヤマ製ネオセプタＣＭ−１、ＣＭ−２、ＣＭＸ、ＣＭＳ、ＣＭＢなどを例示することができる。
【００５０】
同様に、本明細書におけるアニオン交換膜は、陰イオンの通過を許容する一方で陽イオンの通過を遮断する機能を有するイオン交換膜（即ち、陰イオンが陽イオンよりも通過し易いイオン交換膜）であり、具体的には、（株）トクヤマ製ネオセプタＡＭ−１、ＡＭ−３、ＡＭＸ、ＡＨＡ、ＡＣＨ、ＡＣＳなどの陰イオン交換基が導入されたイオン交換膜を例示することができる。
【００５１】
本発明のイオン交換膜には、多孔質フィルム中にイオン交換樹脂が充填されたタイプのイオン交換膜を特に好ましく使用することができる。具体的には、０．００５〜５．０μｍ、より好ましくは０．０１〜２．０μｍ、最も好ましくは０．０２〜０．２μｍの平均孔径（バブルポイント法（ＪＩＳ Ｋ３８３４−１９９０）に準拠して測定される平均流孔径）の多数の小孔が、２０〜９５％、より好ましくは３０〜９０％、最も好ましくは３０〜６０％の空隙率で形成された５〜１４０μｍ、より好ましくは１０〜１２０μｍ、最も好ましくは１５〜５５μｍの膜厚を有する多孔質フィルムを使用し、５〜９５質量％、より好ましくは１０〜９０質量％、特に好ましくは２０〜６０質量％の充填率でイオン交換樹脂を充填させたイオン交換膜を使用することができる。
【００５２】
本明細書においてイオン選択膜又はイオン交換膜について述べる「イオンの通過の遮断」は、必ずしも一切のイオンを通過させないことを意味するのではなく、例えば、ある特定のイオンの通過速度又は通過量が他の特定のイオンよりも十分に小さいがために、当該イオン選択膜又はイオン交換膜に求められる機能が十全に発揮される場合を含む。同様に、イオン選択膜又はイオン交換膜について述べる「イオンの通過の許容」は、イオンの通過に一切の制約が生じないことを意味するのではなく、例えば、イオンの通過がある程度制約される場合であっても、当該イオン選択膜又はイオン交換膜に求められる機能が十全に発揮される程度のイオンの通過速度又は通過量が確保される場合を含む。
【発明を実施するための最良の形態】
【００５３】
以下、図面に基づいて、本発明の実施形態を説明する。
【００５４】
図１は、本発明の一実施形態に係るイオントフォレーシス装置１の構成を示す説明図である。
【００５５】
図示されるように、イオントフォレーシス装置１は、電極１１と、この電極１１に接触する薬物イオンを含む電解液（薬液）Ｄを保持する薬液保持部１４とからなる作用側構造体１０及び電極２１と、この電極２１に接触する電解液Ｅ１を保持する電解液保持部２２とからなる非作用側構造体２０により構成されており、両電極１１、２１は、金属導体などよりなる接続線４１により相互に接続されている。
【００５６】
なお、上記薬液保持部１４中の薬物イオンの極性は、プラス又はマイナスのいずれとすることも可能であるが、以下の説明では、薬物イオンの極性を第１極性と呼ぶ。
【００５７】
イオントフォレーシス装置１における電極１１及び電極２１の組成、並びに電解液Ｄ及び電解液Ｅ１の組成は、第１極性がプラスである場合、即ち、電解液Ｄ中の薬物イオンが陽イオンである場合には、電極１１の単極電位が電極２１の単極電位よりも低電位となるように選択され、第１極性がマイナスである場合、即ち、電解液Ｄ中の薬物イオンが陰イオンである場合には、電極１１の単極電位が電極２１の単極電位よりも高電位となるように選択される。
【００５８】
この条件を満たす電極組成及び電解液組成の組合せは無数に存在するが、例えば、電解液Ｄ及び電解液Ｅ１の組成を同一にする場合であれば、低電位にするべき電極１１又は２１として、高電位にするべき電極１１又は２１よりも卑な材料を使用すれば良く、両電極１１、２１の組成を同一にする場合、或いは両電極１１、２１に（理想）分極性電極を使用する場合であれば、低電位にするべき電極１１又は２１に接触する電解液Ｄ又はＥ１として、高電位にするべき電極１１又は２１に接触する電解液Ｄ又はＥ１よりも酸化力の強い組成を使用すれば良い。
【００５９】
前者に関して第１極性がプラスである場合の具体例を挙げれば、電極１１をＺｎ、電極２１をＭｎＯ２とし、電解液Ｄ及び電解液Ｅ１として、塩化アンモニウム（ＮＨ４Ｃｌ）水溶液にプラスの薬物イオンを解離する薬物を適当な濃度で溶解させた同一組成の電解液を使用した系を例示することができる。
【００６０】
この系を用いたイオントフォレーシス装置１では、通電の際に電極１１及び電極２１においてそれぞれ下式（１）、（２）に示す反応が進行することにより両電極１１、２１間に電極１１をアノード（負極）とし、電極２１をカソード（正極）とする起電力が発生し、この起電力により薬液保持部１４中の薬物イオンを生体内に移行させることができる。
Ｚｎ  →  Ｚｎ２＋＋２ｅ−                    （電極１１）          （１）
ＭｎＯ２＋ｘＨ＋＋ｘｅ−  →  ＨｘＭｎＯ２      （電極２１）          （２）
【００６１】
後者に関して第１極性がプラスである場合の具体例を挙げれば、電極１１、２１をカーボン電極とし、電解液Ｄを塩化鉄（ＦｅＣｌ２／ＦｅＣｌ３）水溶液にプラスの薬物イオンを解離する薬物を適当な濃度で溶解させた電解液とし、電解液Ｅ１を塩化クロム（ＣｒＣｌ２／ＣｒＣｌ３）水溶液とした系を例示することができる。
【００６２】
この系を用いたイオントフォレーシス装置１では、通電の際に電極１１及び電極２１においてそれぞれ下式（３）、（４）に示す反応が進行することにより両電極１１、２１間に電極１１を負極とし、電極２１を正極とする起電力が発生し、この起電力により薬液保持部１４中の薬物イオンを生体内に移行させることができる。
ＣｒＣｌ２＋Ｃｌ−  →  ＣｒＣｌ３＋ｅ−      （電極１１）          （３）
ＦｅＣｌ３＋ｅ−  →  ＦｅＣｌ２＋Ｃｌ−      （電極２１）          （４）
【００６３】
上記薬液保持部１４及び電解液保持部２２は、電解液Ｄ及び電解液Ｅ１を液体状態で保持することも可能であるが、ガーゼ、濾紙、水性ゲルなどの適当な吸収性の担体に含浸させて保持することも可能である。
【００６４】
薬液保持部１４の電解液Ｄには、治療や診断などの目的に応じて種々の薬物を使用することができる。プラスの薬物イオンを解離する薬物の例としては塩酸リドカインや塩酸モルヒネを挙げることができ、マイナスの薬物イオンを解離する薬物の例としてはアスコルビン酸を挙げることができる。
【００６５】
イオントフォレーシス装置１は、上記の構成に加えて、下記の任意的な部材の全部又は一部を更に備えることも可能であり、その場合には、下記の追加的な効果を達成することができる。
【００６６】
即ち、薬液保持部１４の下面側には、薬液保持部１４中の薬物イオンの通過を選択的に許容するイオン選択膜１５を更に有することが可能であり、これにより、薬物イオンの輸率を上昇させ、薬物イオンの投与速度又は投与効率を上昇させることができる。
【００６７】
イオン選択膜１５は、特に好ましくは、生体皮膚Ｓ側から薬液保持部１４側への生体対イオンの移行を遮断する特性を併せ有することができる。
【００６８】
イオン選択膜１５は、イオンの分子量やサイズ、或いは立体的形状に基づいて上記イオンの通過の許容及び遮断を行う半透膜（限外濾過膜など）の形態を採ることが可能であり、電荷に基づいて上記イオンの通過の許容及び遮断を行う電荷選択膜の形態を採ることも可能である。
【００６９】
電荷選択膜の形態のイオン選択膜１５を採用する場合、第１極性のイオン交換膜を特に好ましく使用することができる。即ち、第１極性がプラスである場合にはカチオン交換膜を、マイナスである場合にはアニオン交換膜を好ましく使用することができる。
【００７０】
電解液保持部２２の下面側には、生体皮膚Ｓ側（又は後述の電解液保持部２４）から電解液保持部２２への第１極性のイオンの通過を選択的に許容するイオン選択膜２３を更に有することが可能であり、この場合には、電解液保持部２２から生体皮膚Ｓ側への通電を第１極性のイオンの通過により確保する一方で、電解液Ｅ１と生体皮膚Ｓの直接の接触が回避されるために、薬物イオン投与の安全性を向上させ、また電解液Ｄの組成選択の幅を広げることが可能になる。
【００７１】
イオン選択膜２３には、イオン選択膜１５と同様の素材よりなる膜状の部材を使用することができる。
【００７２】
上記イオン選択膜２３を使用する場合には、当該イオン選択膜２３の下面側に配置された電解液Ｅ２を保持する電解液保持部２４及び当該電解液保持部２４の下面側に配置され、電解液保持部２４から生体皮膚Ｓ側への第２極性のイオンの通過を選択的に許容するイオン選択膜２５を更に備えることができ、この場合には、生体皮膚Ｓのイオン選択膜２５との界面におけるイオンバランスが向上するために、薬物イオン投与の安全性を高めることができる。
【００７３】
イオン選択膜２５は、特に好ましくは、生体皮膚Ｓ側から電解液保持部２４への第１極性のイオンの移行を遮断する特性を併せ有することができる。
【００７４】
イオン選択膜２５は、イオンの分子量やサイズ、或いは立体的形状に基づいて上記イオンの通過の許容及び遮断を行う半透膜（限外濾過膜など）の形態を採ることが可能であり、電荷に基づいて上記イオンの通過の許容及び遮断を行う電荷選択膜の形態を採ることも可能である。
【００７５】
電荷選択膜の形態のイオン選択膜２５を採用する場合、第２極性のイオン交換膜を特に好ましく使用することができる。即ち、第１極性がプラスである場合にはアニオン交換膜を、マイナスである場合にはカチオン交換膜を好ましく使用することができる。
【００７６】
作用側構造体１０及び非作用側構造体２０は、それぞれ上記各部材の乾燥や外部からの異物の混入を防止するなどのため、上記各部材を収容するための、好ましくは生体の動きや皮膚の凹凸に追随できる柔軟な素材からなる容器、ケース又は袋３１、３２を備えることもできる。容器等３１、３２の下面には、イオントフォレーシス装置１の保存中における水分の蒸発や異物の混入を防ぐことができる適宜の材料からなり、使用に際して取り外されるライナー（不図示）を貼付することができ、更には、容器等３１、３２の下面の外周縁などに生体皮膚Ｓとの密着性を向上させるための粘着剤層を設けることも可能である。
【００７７】
イオントフォレーシス装置１では、薬液保持部１４（イオン選択膜１５を備える場合はイオン選択膜１５）及び電解液保持部２２（イオン選択膜２３又は２５を備える場合はイオン選択膜２３又は２５）を生体皮膚Ｓに接触させることにより、電極１１から薬液保持部１４、生体皮膚Ｓ、電解液保持部２２、電極２１及び接続線４１を経て電極１１に至る回路が閉成され、電極１１、２１での電池反応により生じる起電力によって、薬液保持部１４中の薬物イオンを生体内に移行させることができる。
【００７８】
イオントフォレーシス装置１は、上記のように外部電源を備えることなく構成することが可能であるが故に、装置の製造コストを低減させることが可能であり、また装置全体を単一のケーシング中に組み込み、或いはこれらを組み込んだ装置全体をシート状又はパッチ状に形成することが容易となる。
【００７９】
薬物イオンの種類などによっては、電極１１、２１における電池反応による起電力のみで薬物イオンの投与に必要な動作電力を賄うことができない場合もあり得るが、その場合には、電極１１、２１間に補助的な電源や昇圧回路４０を接続することも可能である。この場合にける補助的な電源や昇圧回路４０は、従来のイオントフォレーシス装置において必要となる電源や昇圧回路よりも出力値の小さい小型のものを使用することができるために、この場合も装置の製造コストの低減などの効果を達成することができる。
【００８０】
イオントフォレーシス装置１は、電源投入のためのスイッチ類を特には必要としないが、例えば、薬液保持部１４及び電解液保持部２２を生体皮膚Ｓに当接させた状態での電流のＯＮ／ＯＦＦを可能とするなどのために、図示のようなスイッチＳＷを備えることも可能である。
【００８１】
図２は、本発明の他の実施形態に係るイオントフォレーシス装置２の構成を示す説明図である。
【００８２】
図示されるように、イオントフォレーシス装置２は、電極１１ａと、この電極１１ａに接触する電解液Ｅ１を保持する電解液保持部１２ａと、電解液保持部の下面側に配置されたイオン選択膜１３ａと、イオン選択膜１３ａの下面側に配置され、第１極性の薬物イオンを含む電解液（薬液）Ｄを保持する薬液保持部１４ａとからなる作用側構造体１０ａ及び電極２１ａと、この電極２１ａに接触する電解液Ｅ２を保持する電解液保持部２２ａとからなる非作用側構造体２０ａにより構成されており、両電極１１ａ、２１ａは、金属導体などよりなる接続線４１ａにより相互に接続されている。
【００８３】
イオントフォレーシス装置２における電極１１ａ及び電極２１ａの組成、並びに電解液Ｅ１及び電解液Ｅ２の組成は、第１極性がプラスである場合、即ち、薬液保持部１４ａ中の薬物イオンが陽イオンである場合には、電極１１ａの単極電位が電極２１ａの単極電位よりも低電位となるように選択され、第１極性がマイナスである場合、即ち、薬液保持部１４ａ中の薬物イオンが陰イオンである場合には、電極１１ａの単極電位が電極２１ａの単極電位よりも高電位となるように選択される。
【００８４】
この条件を満たす電極組成及び電解液組成の組合せは無数に存在するが、例えば、電解液Ｅ１、Ｅ２の組成を同一にする場合であれば、低電位にするべき電極１１ａ又は２１ａとして、高電位にするべき電極１１ａ又は２１ａよりも卑な材料を使用すれば良く、両電極１１ａ、２１ａの組成を同一にする場合、或いは両電極１１ａ、２１ａに（理想）分極性電極を使用する場合であれば、低電位にするべき電極１１ａ又は２１ａに接触する電解液Ｅ１又はＥ２として、高電位にするべき電極１１ａ又は２１ａに接触する電解液Ｅ１又はＥ２よりも酸化力の強い組成を使用すれば良い。
【００８５】
前者に関して第１極性がプラスである場合の具体例を挙げれば、電極１１ａをＺｎ、電極２１ａをＭｎＯ２とし、電解液Ｅ１及び電解液Ｅ２に塩化アンモニウム（ＮＨ４Ｃｌ）水溶液を使用した系を例示することができる。
【００８６】
この系を用いたイオントフォレーシス装置２では、通電の際に電極１１ａ及び電極２１ａにおいてそれぞれ式（１）、（２）として上記した反応が進行することにより両電極１１ａ、２１ａ間に電極１１ａを負極とし、電極２１ａを正極とする起電力が発生し、この起電力により薬液保持部１４ａ中の薬物イオンを生体内に移行させることができる。
【００８７】
後者に関して第１極性がプラスである場合の具体例を挙げれば、電極１１ａ、２１ａをカーボン電極とし、Ｅ１を塩化鉄（ＦｅＣｌ２／ＦｅＣｌ３）水溶液、電解液Ｅ２を塩化クロム（ＣｒＣｌ２／ＣｒＣｌ３）水溶液とした系を例示することができる。
【００８８】
この系を用いたイオントフォレーシス装置２では、通電の際に電極１１ａ及び電極２１ａにおいてそれぞれ式（３）、（４）として上記した反応が進行することにより両電極１１ａ、２１ａ間に電極１１ａを負極とし、電極２１ａを正極とする起電力が発生し、この起電力により薬液保持部１４ａ中の薬物イオンを生体内に移行させることができる。
【００８９】
電解液保持部１２ａ、２２ａは、電解液保持部１２と同様の態様で電解液Ｅ１、Ｅ２を保持することができる。
【００９０】
イオン選択膜１３ａには、薬液保持部１４ａ側から電解液保持部１２ａへの第２極性のイオンの通過を選択的に許容する膜状の部材であって、特に好ましくは、電解液保持部１２ａから薬液保持部１４ａへの第１極性のイオンの移行を遮断する特性を併せ有する膜状の部材を使用することができる。
【００９１】
イオン選択膜１３ａは、イオンの分子量やサイズ、或いは立体的形状に基づいて上記イオンの通過の許容及び遮断を行う半透膜（限外濾過膜など）の形態を採ることが可能であり、電荷に基づいて上記イオンの通過の許容及び遮断を行う電荷選択膜の形態を採ることも可能である。
【００９２】
電荷選択膜の形態のイオン選択膜１３ａを採用する場合、第２極性のイオン交換膜を特に好ましく使用することができる。即ち、第１極性がプラスである場合にはアニオン交換膜を、マイナスである場合にはカチオン交換膜を好ましく使用することができる。
【００９３】
薬液保持部１４ａの薬液Ｄには、治療や診断などの目的に応じて種々の薬物を使用することができる。プラスの薬物イオンを解離する薬物の例としては塩酸リドカインや塩酸モルヒネを挙げることができ、マイナスの薬物イオンを解離する薬物の例としてはアスコルビン酸を挙げることができる。薬液保持部１４ａは、薬液Ｄを液体状態で保持することも可能であるが、ガーゼ、濾紙、水性ゲルなどの適当な吸収性の担体に含浸させて保持することも可能である。
【００９４】
イオントフォレーシス装置２は、上記の構成に加えて下記の任意的な部材の全部又は一部を更に備えることも可能であり、これにより、追加的な効果を達成することができる。
【００９５】
即ち、薬液保持部１４ａの下面側には、イオン選択膜１５と同様のイオン選択膜１５ａを備えることができ、電解液保持部２２ａの下面側には、イオン選択膜２３と同様のイオン選択膜２３ａを備えることができ、或いはイオン選択膜２３ａの下面側に更に、電解液保持部２４及びイオン選択膜２５と同様の電解液保持部２４ａ及びイオン選択膜２５ａを備えることができ、これにより、それぞれイオントフォレーシス装置１において上記したと同様の追加的な効果を達成できる。
【００９６】
また、イオントフォレーシス装置２は、イオントフォレーシス装置１について上記したと同様の容器等３１ａ、３２ａ、補助的な電源や昇圧回路４０ａ、スイッチＳＷａ等を備えることも可能である。
【００９７】
イオントフォレーシス装置２では、薬液保持部１４ａ（イオン選択膜１５ａを備える場合はイオン選択膜１５ａ）及び電解液保持部２２ａ（イオン選択膜２３ａ又は２５ａを備える場合はイオン選択膜２３ａ又は２５ａ）を生体皮膚Ｓに接触させることにより、或いは更に、スイッチＳＷａを投入することにより、電極１１ａから薬液保持部１４ａ、生体皮膚Ｓ、電解液保持部２２ａ、電極２１ａ及び接続線４１ａを経て電極１１ａに至る回路が閉成され、電極１１ａ、２１ａでの電池反応により生じる起電力によって、薬液保持部１４ａ中の薬物イオンが生体内に移行する。
【００９８】
イオントフォレーシス装置２は、上記のように外部電源を備えることなく構成することが可能であり、或いはより小型の電源や昇圧回路をもって薬物イオン投与に必要な動作電圧を賄うことが可能であるが故に、イオントフォレーシス装置１について上記したと同様の効果が達成される。
【００９９】
加えて、イオントフォレーシス装置２では、第１電解液保持部１２ａから薬液保持部１４ａへの通電が薬液Ｄ中の第２極性のイオンの移動により確保される一方で、薬液Ｄがイオン選択膜１３ａによって電解液Ｅ１から隔離されている。
【０１００】
従って、電池反応や電解液Ｅ１との反応などによる薬物イオンの変質を防止することができ、或いは電解液Ｅ１、或いは電解液Ｅ１における電池反応により生じた第１極性のイオンが電池反応による起電力によって薬液保持部１４ａへ、ひいては生体皮膚Ｓ界面に移行することが防止できるために、薬物イオン投与の安全性を向上させることができる。
【０１０１】
図３（Ａ）は、本発明の更に他の実施形態に係るイオントフォレーシス装置３を示す平面図であり、図３（Ｂ）はそのＡ−Ａ断面図である。
【０１０２】
イオントフォレーシス装置３は、イオントフォレーシス装置１における作用側構造体１０及び非作用側構造体２０とそれぞれ同様の構成を有する作用側構造体部分１０ｂ及び非作用側構造体部分２０ｂとを有しているが、イオントフォレーシス装置３では、各部材の寸法や形状などを適切に選択することで、組み立ての容易性やハンドリング性の向上が実現されている。
【０１０３】
即ち、イオントフォレーシス装置３は、基体３３ａ及びその下面に形成された導電パターン３３ｂにより構成される電極部材３３と、薬液保持部及び電解液保持部として機能する２つの空孔ｈ１及びｈ２が形成された第１支持体３４とを有している。
【０１０４】
上記電極部材３３の導電パターン３３ｂは、図示のようにある面積を占める領域１１ｂ、２１ｂと、この領域１１ｂ、２１ｂを結ぶ細長い領域４１ｂとを有しているが、領域１１ｂ、２１ｂは、後述の薬液Ｄ及び電解液Ｅへの通電を行うための電極として、或いは後述の電極ｐ１、ｐ２への通電を行うための集電体として機能し、細長い領域４１ｂは、領域１１ｂと領域２１ｂを結ぶ給電線として機能する。
【０１０５】
電極部材３３の基体３３ａは、ポリエチレンテレフタレートなどの絶縁性の素材で形成することができる。
【０１０６】
電極部材３３の導電パターン３３ｂは、金属メッキや金属フィルムのエッチングなどにより形成することができ、或いは導電粉を含む導電塗料の塗膜により形成することも可能である。
【０１０７】
領域１１ｂ、２１ｂを電極として機能させる場合（領域１１ｂ、２１ｂを薬液Ｄ、電解液Ｅに接触させて使用する場合）、必要な電池特性との関係で、領域１１ｂと領域２１ｂとにそれぞれ異なる材料が使用される場合もあるが、導電パターン３３ｂを単一の工程で形成することによる製造コストの低減等を可能とするために、領域１１ｂ、２１ｂは同一の材料により形成することが好ましい。
【０１０８】
なお、後述の電極ｐ１、ｐ２を使用すれば、必要な電池特性を得るために電極ｐ１、ｐ２及び電解液Ｄ、Ｅにどのような組合せの組成を選択するかとは無関係に、領域１１ｂ、２１ｂの組成を同一にすることが可能となる。従って、この場合には、単一の工程での導電パターン３３ｂの形成による製造コストの低減が達成できるとともに、電極ｐ１、ｐ２及び電解液Ｄ、Ｅの組成選択の自由度を拡大することができる。
【０１０９】
導電パターン３３ｂの周囲には、電極部材３３を第１支持体３４の上面に張り付けるための接着剤層３３ｃを形成することができる。
【０１１０】
第１支持体３４は、平面視方形の外形を有し、その概略中央には、第１支持体３４の上下面において開口する第１空孔ｈ１と、第１空孔ｈ１から離間した位置に配置され、第１支持体３４の上下面において開口する第２空孔ｈ２が形成されている。
【０１１１】
上記第１、第２空孔ｈ１、ｈ２は、好ましくは領域１１ｂ、２１ｂと相似の形状（図示の例では円形）で領域１１ｂ、２１ｂと同じかそれよりもわずかに大きいサイズとされており、基体３３ａは、第１、第２空孔ｈ１、ｈ２の全体を被覆できる寸法に形成されている。
【０１１２】
第１空孔ｈ１には、領域１１ｂに接触し、第１極性の薬物イオンを含む電解液（薬液）Ｄを、第２空孔ｈ２には、領域２１ｂに接触する電解液Ｅを保持することができる。
【０１１３】
この場合における領域１１ｂ、２１ｂ及び電解液Ｄ、Ｅの組成の組合せは、イオントフォレーシス装置１について上記したと同様の態様により選定される。
【０１１４】
或いは、図示のように、作用側構造体部分１０ｂにおいては、領域１１ｂの下面側に電極ｐ１を配置するとともに、この電極ｐ１に接触し、第１極性の薬物イオンを含む電解液（薬液）Ｄを第１空孔ｈ１に保持し、非作用側構造体部分２０ｂにおいては、領域２１ｂの下面側に電極ｐ２を配置するとともに、この電極ｐ２に接触する電解液Ｅを第２空孔ｈ２に保持することも可能である。
【０１１５】
この場合における電極ｐ１、ｐ２及び電解液Ｄ、Ｅの組成の組合せは、イオントフォレーシス装置１について上記したと同様の態様により選定される。
【０１１６】
領域１１ｂ、２１ｂと電極ｐ１、ｐ２の電気的な接続は、半田付けや導電性接着剤を用いた接着など任意の方法により行うことができる。
【０１１７】
第１、第２空孔ｈ１、ｈ２は、上記電解液Ｄ、Ｅをそれぞれ液体状態で保持することもでき、ガーゼ、濾紙、水性ゲルなどの適当な吸収性の担体に含浸させて保持することも可能である。
【０１１８】
第１支持体３４は、イオントフォレーシス装置３の保管、使用環境下において変質しない安定な素材であって、薬液や電解液などに対する耐性を有する任意の素材により形成することができ、好ましくは、生体の動きや生体皮膚Ｓの凹凸に追随できる柔軟性を有する発泡ポリウレタンなどの素材により形成することができる。
【０１１９】
第１支持体３４の下面には、薬物イオンの投与に際して生体皮膚Ｓとの密着性を高めるための接着剤層３４ａを形成することが可能であり、保管中の電解液Ｄ、Ｅの漏れ出しや外部からの異物の混入を防止するための取り外し可能なライナー３７を上記接着剤層３４ａに貼着することが可能である。
【０１２０】
イオントフォレーシス装置３では、第１支持体３４の下面を生体皮膚Ｓに接触させることにより、領域１１ｂから第１空孔ｈ１内の電解液Ｄ、生体皮膚Ｓ、第２空孔ｈ２内の電解液Ｅ、領域２１ｂ及び領域４１ｂを経て電極１１ｂに至る回路が閉成され、領域１１ｂ、２１ｂ（又は電極ｐ１、ｐ２）での電池反応により生じる起電力によって、第１空孔ｈ１内の薬物イオンが生体内に移行する。
【０１２１】
イオントフォレーシス装置３は、上記のように外部電源を有さない構成であるが故に、製造コストを低減させることができ、又は薬物イオンの投与時や装置の保管、運搬時などにおける装置のハンドリング性を向上させることができる等、イオントフォレーシス装置１について上記したと同様の効果が達成される。
【０１２２】
また外部電源を有さないが故に、乾燥条件下で保管することが望ましい部材（電源や昇圧回路など）と、水分含有量の多い部材との混在が解消されており、装置全体を支障なくパッケージなどに気密に封入することができ、装置の保存性を高めることが容易である。
【０１２３】
更にイオントフォレーシス装置３は薄型のシート状に構成されているために、装置全体の柔軟性を高め、生体皮膚Ｓへの追随性を良好にすることが容易である。
【０１２４】
なお、イオントフォレーシス装置３に追加的な電源や昇圧回路を設けることも可能であるが、この場合も、より小型の電源や昇圧回路をもって薬物イオン投与に必要な動作電圧を賄うことが可能であるが故に、イオントフォレーシス装置１について上記したと同様の効果が達成される。
【０１２５】
イオントフォレーシス装置３は、イオントフォレーシス装置１と同様、下記の追加的な部材を備えることも可能である。
【０１２６】
即ち、第１空孔ｈ１の下面側にイオントフォレーシス装置１と同様のイオン選択膜１５を配置することが可能であり、第２空孔ｈ２の下面側にイオントフォレーシス装置１と同様のイオン選択膜２３、或いは更に、電解液保持部２４及びイオン選択膜２５を配置することが可能であり、領域４１ｂの経路上にイオントフォレーシス装置１について述べたと同様のスイッチＳＷを備えることが可能である。
【０１２７】
図４（Ａ）は、本発明の更に他の実施形態に係るイオントフォレーシス装置４を示す平面図であり、図４（Ｂ）はそのＡ−Ａ断面図である。
【０１２８】
図示されるように、イオントフォレーシス装置４は、イオントフォレーシス装置３と同様の電極部材３３及び第１支持体３４に加え、第２、第３支持体３５、３６を備えている。
【０１２９】
ここで、第２支持体３５は、平面視において第１支持体３４よりも大きい外径寸法を有する平板状の部材であり、その中央付近には、第２支持体３５の上下面において開口する第３空孔ｈ３と、この空孔ｈ３から離間した位置に配置され、第２支持体３５の上下面において開口する第４空孔ｈ４が形成されている。
【０１３０】
第３空孔ｈ３及び第４空孔ｈ４は、好ましくは、それぞれ第１空孔ｈ１及び第２空孔ｈ２と概略同一寸法の相似の形状（図示の例では円形）とすることができる。
【０１３１】
第３支持体３６は、第１支持体３４と概略同サイズに形成された平面状の部材である。
【０１３２】
第２支持体３５及び第３支持体３６は、第１支持体３４と同様、発泡ポリウレタンなどの柔軟性のある素材により形成することが好ましく、これにより、生体の動きや皮膚の凹凸に追随できる柔軟性のあるイオントフォレーシス装置４を実現できる。
【０１３３】
電極部材３３と第１支持体３４は、イオントフォレーシス装置３と同様の態様で重ね合わされ、第２支持体３５は、第３空孔ｈ３及び第４空孔ｈ４が、それぞれ第１空孔ｈ１及び第２空孔ｈ２と上下で位置合わせされるようにして、第１支持体３４の下面側に配置される。この結果、第１空孔ｈ１と第３空孔ｈ３は、相互間でのイオンの移動が可能なように連通し、第２空孔ｈ２と第４空孔ｈ４は、相互間でのイオンの移動が可能なように連通する。
【０１３４】
第３支持体３６は、電極部材３３を覆うようにして第１支持体３４の上面側に配置される。
【０１３５】
電極部材３３及び第１〜第３支持体３４〜３６は、任意の方法で一体に接合することが可能である。この場合の接合方法の一例を挙げれば、第３支持体３６、第１支持体３４の下面に形成された接着剤層３６ａ、３４ａを以てこれらを接着することが可能である。この場合、電極部材３３は第３、第１支持体３６、３４の間に挟持されるため、イオントフォレーシス装置３について説明した電極部材３３下面の接着剤層３３ａは省略しても構わない。
【０１３６】
第１空孔ｈ１には、領域１１ｃに接触する電解液Ｅ１を、第２空孔ｈ２には、領域２１ｃに接触する電解液Ｅ２を保持することができる。
【０１３７】
この場合における領域１１ｃ、２１ｃ及び電解液Ｅ１、Ｅ２の組成の組合せは、イオントフォレーシス装置２について上記したと同様の態様により選定される。
【０１３８】
或いは、図示のように、作用側電極構造体１０ｃにおいては、領域１１ｃの下面側に電極ｐ１を配置するとともに、この電極ｐ１に接触する電解液Ｅ１を第１空孔ｈ１に保持し、非作用側構造体部分２０ｃにおいては、領域２１ｂの下面側に電極ｐ２を配置するとともに、この電極ｐ２に接触する電解液Ｅ２を第２空孔ｈ２に保持することも可能である。
【０１３９】
この場合における電極ｐ１、ｐ２及び電解液Ｅ１、Ｅ２の組成の組合せは、イオントフォレーシス装置２について上記したと同様の態様により選定される。
【０１４０】
第３空孔ｈ３及び第４空孔ｈ４には、イオントフォレーシス装置２における薬液保持部１４ａ及び電解液保持部２４ａと同様の薬液Ｄ及び電解液Ｅ３が保持される。
【０１４１】
第１〜第４空孔ｈ１〜ｈ４は、上記電解液Ｅ１〜Ｅ３及び薬液Ｄをそれぞれ液体状態で保持することもでき、ガーゼ、濾紙、水性ゲルなどの適当な吸収性の担体に含浸させて保持することも可能である。
【０１４２】
イオントフォレーシス装置４では、第１空孔ｈ１と第３空孔ｈ３の間には、イオントフォレーシス装置２におけるイオン選択膜１３ａと同様のイオン選択膜１３ｃが配置され、これにより、イオントフォレーシス装置２について上記したと同様、薬物イオン投与の安全性を向上させ、領域１１ｃ（又は電極ｐ１）及び電解液Ｅ１の選択の自由度を高めることができる。
【０１４３】
イオントフォレーシス装置４は、イオントフォレーシス装置２と同様に、任意的な部材として、下記の如き部材を追加的に備えることもできる。
【０１４４】
即ち、第２空孔ｈ２と第４空孔ｈ４の間には、イオン選択膜２３ｃを配置することが可能であり、第３空孔ｈ３及び第４空孔ｈ４の下面側には、それぞれイオン選択膜１５ｃ、２５ｃを配置することが可能である。
【０１４５】
この場合におけるイオン選択膜２３ｃ、１５ｃ、２５ｃには、それぞれイオントフォレーシス装置２におけるイオン選択膜２３ａ、１５ａ、２５ａと同様のイオン選択膜を使用することができる。
【０１４６】
また、領域４１ｃの経路上にイオントフォレーシス装置２について述べたと同様の補助的な電源や昇圧回路４０ａ、或いはスイッチＳＷａを備えることも可能である。
【０１４７】
イオントフォレーシス装置４では、第２支持体３５の下面を生体皮膚Ｓに接触させることにより、領域１１ｃから電解液Ｅ１、薬液Ｄ、生体皮膚Ｓ、電解液Ｅ３、電解液Ｅ２、領域２１ｃ及び領域４１ｃを経て電極１１ｃに至る回路が閉成され、領域１１ｃ、２１ｃ（又は電極ｐ１、ｐ２）での電池反応により生じる起電力によって、第３空孔ｈ３内の薬物イオンが生体内に移行する。
【０１４８】
イオントフォレーシス装置４は、上記のように外部電源を有さない構成であるが故に、イオントフォレーシス装置３について上記したと同様の効果が達成できる。
【０１４９】
更にイオントフォレーシス装置４では、作用側構造体部分１０ｃにおいて、電解液Ｅ１と薬液Ｄを使用し、両者をイオン選択膜１３で分離する構造としたが故に、イオントフォレーシス装置３の場合よりも薬物イオン投与の安全性を一層高めることが可能である。
【０１５０】
一方、イオントフォレーシス装置４では、追加的な支持体３５、３６を備えるが故に、イオントフォレーシス装置３と比較すると厚さ方向の寸法が大きくなり易い問題があるが、図示の例では、第２支持体３５に対する第１、第３支持体３４、３６の平面視の寸法を小さくすることで、厚み寸法が増大することによる柔軟性の低下を最小限に抑える構成が採用されている。
【０１５１】
以上、いくつかの実施形態に基づいて本発明を説明したが、本発明は、これらの実施形態に限定されるものではなく、特許請求の範囲の記載内において種々の改変が可能である。
【０１５２】
例えば、上記実施形態では、単一の作用側構造体（部分）と単一の非作用側構造体（部分）とを備えるイオントフォレーシス装置を例として説明したが、複数の作用側構造体（部分）と複数の非作用側構造体（部分）とを備えるイオントフォレーシス装置にも本発明を適用することが可能である。
【０１５３】
この場合、例えば、複数の作用側構造体を備えるイオントフォレーシス装置において、それぞれの作用側構造体における電極組成や電解液組成を適切に選択することによって、それぞれの作用側構造体から同一又は異なる動作電圧をもって薬物イオンを送達するイオントフォレーシス装置を実現することも可能である。
【０１５４】
また上記実施形態では、第１支持体に形成される第１、第２空孔が上下面において開口する場合について説明したが、第１又は第２空孔が、第１支持体の下面においてのみ開口し、上面においては閉鎖された構成を有することも可能であり、その場合の空孔への通電は、例えば先端を先鋭にした導体を例えば第１支持体の上面から空孔内に差し込むなどで行うことが可能である。
【０１５５】
上記実施形態おける各部材の形状、寸法、材質などは単なる例として記述したものであり、本発明はこれらの記述により限定されるものではない。また、上記実施形態の説明に用いた各図面は、理解の容易化のための変形が加えられており、その縮尺等は正確なものではない。
【図面の簡単な説明】
【０１５６】
【図１】本発明の一実施形態に係るイオントフォレーシス装置の構成を示す説明図。
【図２】本発明の他の実施形態に係るイオントフォレーシス装置の構成を示す説明図。
【図３】本発明の更に他の実施形態に係るイオントフォレーシス装置の平面図（Ａ）及びそのＡ−Ａ断面図（Ｂ）
【図４】本発明の更に他の実施形態に係るイオントフォレーシス装置の平面図（Ａ）及びそのＡ−Ａ断面図（Ｂ）
【図５】従来のイオントフォレーシス装置の構成を示す説明図。
【符号の説明】
【０１５７】
１〜４・・・イオントフォレーシス装置
１０、１０ａ〜１０ｃ・・・作用側構造体（部分）
２０、２０ａ〜２０ｃ・・・非作用側構造体（部分）
１１、１１ａ〜１１ｃ、２１、２１ａ〜２０ｃ、ｐ１、ｐ２・・・電極
１２、１２ａ、１４、１４ａ、２２、２２ａ、２４、２４ａ・・・電解液保持部
ｈ１〜ｈ４・・・空孔（電解液保持部）
１３、１３ａ、１３ｃ、１５、１５ａ、１５ｃ、２３、２３ａ、２３ｃ、２５、２５ａ・・・イオン選択膜
３１、３１ａ、３２、３２ａ・・・容器
３３・・・電極部材
３４・・・第１支持体
３５・・・第２支持体
３６・・・第３支持体
３７・・・ライナー
４１、４１ａ〜４１ｃ・・・接続線
１０１・・・イオントフォレーシス装置
１１０・・・作用側構造体
１２０・・・非作用側構造体
１１１、１２１・・・電極
１１２・・・薬液保持部
１２２・・・電解液保持部
１４０・・・電源
１４１・・・給電線
【図１】
2007268061.tif 000003
【図２】
2007268061.tif 000004
【図３】
2007268061.tif 000005
【図４】
2007268061.tif 000006
【図５】
2007268061.tif 000007